(57)【要約】【課題】排水トラフのレベル調整杆の下端が点接触することによる保護モルタル層のひび割れを防止し得るレベル調整杆用支持部材を提供する。【解決手段】保護モルタル層１４に面接触する平板状支持基板部１６と、該平板状支持基板部１６の上面に連成された連結凸部１９とにより支持部材１５を構成し、該支持部材１５を連結凸部１９によってレベル調整杆９の下端部に装着するようにした。これにより、支持部材１５の平板状支持基板部１６を保護モルタル層１４に面接触させた状態でレベル調整杆９の下端部を支持することができ、保護モルタル層１４との接触面積が拡大して、排水トラフ１の荷重が分散されるので該保護モルタル層１４のひび割れを防止することができる。【選択図】図１
2007262714.tif 000002
【特許請求の範囲】
【請求項１】
上部に溝蓋の受縁部が連成された排水溝部と、該排水溝部から下方に延設された固定用ブラケットとを備えてなる排水トラフの、その固定用ブラケットに昇降可能に取り付けられる、上下方向の雄螺子部を備えた螺子杆からなるレベル調整杆の下端部に装着される支持部材であって、
平板状支持基板部の上面に、左右側壁と天壁とからなる連結凸部が連成され、該連結凸部の少なくともその前後方向の一端に、前記螺子杆の下端部に螺合されるナットを装入可能な装入口が開口されるとともに、該装入口に連続させて連結凸部内に、前記ナットを前記左右側壁で回転不能に保持し、かつ該ナットを前記天壁で上方脱出不能に保持する保持空隙が形成される一方、前記天壁には前記螺子杆の下端部を挿通可能な挿通口が開口されていることを特徴とする排水トラフのレベル調整杆用支持部材。
【請求項２】
上部に溝蓋の受縁部が連成された排水溝部と、該排水溝部から下方に延設された固定用ブラケットとを備えてなる排水トラフの、その固定用ブラケットに昇降可能に取り付けられる、上下方向の螺子軸部と操作頭部とを備えたボルトからなるレベル調整杆の下端部に装着される支持部材であって、
平板状支持基板部の上面に、左右側壁と天壁とからなる連結凸部が連成され、該連結凸部の少なくともその前後方向の一端に、前記ボルトの操作頭部を装入可能な装入口が開口されるとともに、該装入口に連続させて連結凸部内に、前記ボルトの操作頭部を前記左右側壁で回転不能に保持し、かつ該ボルトの操作頭部を前記天壁で上方脱出不能に保持する保持空隙が形成される一方、前記天壁には前記ボルトの操作頭部に連続する螺子軸部の下端部を挿通可能な挿通口が前記装入口と連通させて開口されていることを特徴とする排水トラフのレベル調整杆用支持部材。
【請求項３】
平板状支持基板部及び連結凸部を前後方向に長尺に形成し、固定用ブラケットに取り付けられる複数のレベル調整杆の下端部を前記連結凸部に連結することにより、単一の平板状支持基板部で各レベル調整杆の下端部を支持し得るようにしたことを特徴とする請求項１または請求項２に記載した排水トラフのレベル調整杆用支持部材。
【請求項４】
平板状支持基板部の上面に、側壁と天壁とを備えた左右一対のＬ形枠部が対向配置され、両Ｌ形枠部により囲繞された内部領域を保持空隙とし、かつ左右の天壁間に生じる開口を挿通口とした押出し型材からなることを特徴とする請求項１乃至請求項３の何れかに記載した排水トラフのレベル調整杆用支持部材。
【発明の詳細な説明】
【技術分野】
【０００１】
本発明は、排水トラフのレベル調整杆の下端部に装着される支持部材に関する。
【背景技術】
【０００２】
排水トラフ１は、ステンレス等の耐腐食性金属板を曲成することにより、図８，図９に示すように、排水溝部２と、該排水溝部２の上部に配設される溝蓋の受縁部３，３とを一体に形成したものであり、従来のコンクリート製の排水溝のように、経年劣化等の何らかの要因により発生するひび割れ部に雑菌やカビが繁殖する虞がないため、高い衛生性が要求される厨房等の床の排水溝として使用されている。
【０００３】
従来、かかる排水トラフ１を、アスファルト防水層１３を敷設したスラブコンクリート等の床基盤１２上に施工する場合には、該アスファルト防水層１３の上面に所定厚さの保護モルタル層１４を形成した後、該保護モルタル層１４上に、排水トラフ１の固定用ブラケット４に昇降可能に取り付けられたレベル調整杆９の下端を直接載置した状態で、団子状の固練りモルタルｍによって該レベル調整杆９の下端を固定するようにしていた。
【発明の開示】
【発明が解決しようとする課題】
【０００４】
上記のように、保護モルタル層１４上にレベル調整杆９の下端を直接載置する施工方法にあっては、保護モルタル層１４に対してレベル調整杆９の下端が点接触に近い状態で接触し、排水トラフ１の荷重がレベル調整杆９の下端を介して保護モルタル層１４上に集中的に掛かるため、該保護モルタル層１４にひび割れが発生し易く、このひび割れに起因してアスファルト防水層１３の防水性が低下するという問題点があった。
【０００５】
本発明は、かかる従来の問題点を解消し得る排水トラフのレベル調整杆用支持部材を提供することを目的とするものである。
【課題を解決するための手段】
【０００６】
本発明は、上部に溝蓋の受縁部が連成された排水溝部と、該排水溝部から下方に延設された固定用ブラケットとを備えてなる排水トラフの、その固定用ブラケットに昇降可能に取り付けられる、上下方向の雄螺子部を備えた螺子杆からなるレベル調整杆の下端部に装着される支持部材であって、平板状支持基板部の上面に、左右側壁と天壁とからなる連結凸部が連成され、該連結凸部の少なくともその前後方向の一端に、前記螺子杆の下端部に螺合されるナットを装入可能な装入口が開口されるとともに、該装入口に連続させて連結凸部内に、前記ナットを前記左右側壁で回転不能に保持し、かつ該ナットを前記天壁で上方脱出不能に保持する保持空隙が形成される一方、前記天壁には前記螺子杆の下端部を挿通可能な挿通口が開口されていることを特徴とする排水トラフのレベル調整杆用支持部材である。
【０００７】
また、本発明は、上部に溝蓋の受縁部が連成された排水溝部と、該排水溝部から下方に延設された固定用ブラケットとを備えてなる排水トラフの、その固定用ブラケットに昇降可能に取り付けられる、上下方向の螺子軸部と操作頭部とを備えたボルトからなるレベル調整杆の下端部に装着される支持部材であって、平板状支持基板部の上面に、左右側壁と天壁とからなる連結凸部が連成され、該連結凸部の少なくともその前後方向の一端に、前記ボルトの操作頭部を装入可能な装入口が開口されるとともに、該装入口に連続させて連結凸部内に、前記ボルトの操作頭部を前記左右側壁で回転不能に保持し、かつ該ボルトの操作頭部を前記天壁で上方脱出不能に保持する保持空隙が形成される一方、前記天壁には前記ボルトの操作頭部に連続する螺子軸部の下端部を挿通可能な挿通口が前記装入口と連通させて開口されていることを特徴とする排水トラフのレベル調整杆用支持部材である。
【０００８】
ここで、前記支持部材の材質としては、アルミニウムやアルミニウム合金または硬質合成樹脂が好適に用いられ得る。
【０００９】
また、平板状支持基板部及び連結凸部を前後方向に長尺に形成し、固定用ブラケットに取り付けられる複数のレベル調整杆の下端部を前記連結凸部に連結することにより、単一の平板状支持基板部で各レベル調整杆の下端部を夫々支持し得るようにした構成が提案される。
【００１０】
また、前記レベル調整杆用支持部材を、平板状支持基板部の上面に、側壁と天壁とを備えた左右一対のＬ形枠部が対向配置され、両Ｌ形枠部により囲繞された内部領域を保持空隙とし、かつ左右の天壁間に生じる開口を挿通口とした押出し型材からなるものとする構成が提案される。
【発明の効果】
【００１１】
本発明は、上述したように、平板状支持基板部の上面に、左右側壁と天壁とからなる連結凸部が連成され、該連結凸部の少なくともその前後方向の一端に、レベル調整杆を構成する螺子杆の下端部に螺合されるナットを装入可能な装入口が開口されるとともに、該装入口に連続させて連結凸部内に、前記ナットを前記左右側壁で回転不能に保持し、かつ該ナットを前記天壁で上方脱出不能に保持する保持空隙が形成される一方、前記天壁には前記螺子杆の下端部を挿通可能な挿通口が開口された、排水トラフのレベル調整杆用支持部材であるから、連結凸部の一端に開口された装入口からナットを装入して保持空隙内で保持させ、この状態で、天壁の挿通口から挿通した螺子杆の下端部を前記ナットに螺合させるとともに、螺子杆の上方から該螺子杆に螺合した他のナットを天壁に当接させた状態で緊締すると、上下二個のナットにより天壁が挟持されることによって、支持部材がレベル調整杆の下端部に装着される。この時、保持空隙内でナットが回転不能に保持されていることにより、他のナットの緊締操作に伴って螺子杆が回転することがなく、その緊締操作を容易かつ確実に行うことができる。そして、このように支持部材をレベル調整杆の下端部に装着することにより、該支持部材の平板状支持基板部を保護モルタル層に面接触させた状態でレベル調整杆の下端部を支持することができ、従来構成に比してレベル調整杆の下端と保護モルタル層との接触面積が拡大して、排水トラフの荷重が分散されることとなり、これによって保護モルタル層のひび割れを防止することができる。
【００１２】
また、本発明は、平板状支持基板部の上面に、左右側壁と天壁とからなる連結凸部が連成され、該連結凸部の少なくともその前後方向の一端に、レベル調整杆を構成するボルトの操作頭部を装入可能な装入口が開口されるとともに、該装入口に連続させて連結凸部内に、前記ボルトの操作頭部を前記左右側壁で回転不能に保持し、かつ該ボルトの操作頭部を前記天壁で上方脱出不能に保持する保持空隙が形成される一方、前記天壁には前記ボルトの操作頭部に連続する螺子軸部の下端部を挿通可能な挿通口が前記装入口と連通させて開口された、排水トラフのレベル調整杆用支持部材であるから、連結凸部の一端に開口された装入口からボルトの操作頭部を装入するとともに、該装入口と連通する天壁の挿通口に操作頭部に連続する螺子軸部の下端部を挿通して上方に突出させることによって、ボルトの操作頭部を保持空隙内で保持させ、この状態で螺子軸部の上方から該螺子軸部に螺合したナットを天壁に当接させた状態で緊締すると、該ナットとボルトの操作頭部とにより天壁が挟持されることによって、支持部材がレベル調整杆の下端部に装着される。この時、保持空隙内でボルトの操作頭部が回転不能に保持されていることにより、ナットの緊締操作に伴ってボルトが回転することがなく、その緊締操作を容易かつ確実に行うことができる。そして、このように支持部材をレベル調整杆の下端部に装着することにより、該支持部材の平板状支持基板部を保護モルタル層に面接触させた状態でレベル調整杆の下端部を支持することができ、従来構成に比してレベル調整杆の下端と保護モルタル層との接触面積が拡大して、排水トラフの荷重が分散されることとなり、これによって保護モルタル層のひび割れを防止することができる。
【００１３】
また、上記レベル調整杆用支持部材において、平板状支持基板部及び連結凸部を前後方向に長尺に形成し、固定用ブラケットに取り付けられる複数のレベル調整杆の下端部を前記連結凸部に連結することにより、単一の平板状支持基板部で各レベル調整杆の下端部を夫々支持し得るようにした構成にあっては、保護モルタル層に面接触する平板状支持基板部の接触面積が拡大し、ひび割れ防止作用をさらに向上させ得るとともに、単一のレベル調整杆用支持部材に各レベル調整杆の下端部が連結されることにより、各レベル調整杆による排水トラフの支持強度を向上させることができる。
【００１４】
また、上記レベル調整杆用支持部材を、平板状支持基板部の上面に、側壁と天壁とを備えた左右一対のＬ形枠部が対向配置され、両Ｌ形枠部により囲繞された内部領域を保持空隙とし、かつ左右の天壁間に生じる開口を挿通口とした押出し型材からなるものとする構成にあっては、押出し成形によって得られた型材を所定長さに切断するだけで、レベル調整杆用支持部材を簡単に製作することができる。
【発明を実施するための最良の形態】
【００１５】
以下に、本発明の第一実施例を、図１〜図４に基づいて説明する。
排水トラフ１は、図１に示すように、断面略Ｕ字形の排水溝部２と、該排水溝部２の上部の両側に連成された溝蓋（図示省略）の受縁部３，３とが、ステンレス等の耐腐食性金属板を曲成することによって所定長さで一体に形成されており、図２に示すように、長手方向で隣接する排水トラフ１，１の端部は、各端部に配設された固定用ブラケット４，４と該固定用ブラケット４，４に挿通された複数のボルト５と該ボルト５に螺合されたナット６とからなる連結手段を介して相互に連結されている。
【００１６】
前記各固定用ブラケット４，４は、排水溝部２の下方に延設されており、その下端には取付け縁部７，７が水平状に曲成されている。そして、該取付け縁部７，７の内、その何れか一方の取付け縁部７には、前記排水溝部２の幅方向に対応する両端部分に透孔８，８が形成されており、該透孔８，８にレベル調整杆９，９が昇降可能に取付けられている。各レベル調整杆９，９は、その全長に亘って上下方向の雄螺子部１０（図３（ｂ）参照）が形成された螺子杆からなり、前記透孔８，８に夫々の螺子杆の上端部分を挿通した状態で上下両側から螺合されるナット１１ａ，１１ｂによって取付け縁部７に固定されるとともに、該レベル調整杆９，９の下端部には後述する支持部材１５が装着される。各レベル調整杆９，９は、下側のナット１１ａ，１１ａの回動操作による螺進作用を介して取付け縁部７に対して相対的に昇降可能であり、その昇降作用によって排水トラフ１のレベル（設置高さ）を調整し得るようになっている。
【００１７】
一方、排水トラフ１が設置されるスラブコンクリート等の床基盤１２上には、アスファルト防水層１３が敷設されており、該アスファルト防水層１３上に所定厚さの保護モルタル層１４が形成されている。
【００１８】
次に本発明の要部にかかる支持部材１５について説明する。
支持部材１５は、図３（ａ）に示すように、平板状支持基板部１６の上面に、左右側壁１７，１７と天壁１８，１８とからなる連結凸部１９が連成されており、該連結凸部１９の前後方向の両端部には、図４に示すように、装入口２１，２１が開口されている。該装入口２１，２１は、上述したレベル調整杆９を構成する螺子杆の下端部に螺合されるナット２０を側方から装入可能な大きさに設定されている。また、該装入口２１，２１に連続させて連結凸部１９内には、図３（ｂ）に示すように、前記ナット２０を前記左右側壁１７，１７で回転不能に保持し、かつ該ナット２０を前記天壁１８，１８で上方脱出不能に保持する保持空隙２２が形成されており、さらに、前記天壁１８，１８間にはレベル調整杆９を構成する螺子杆の下端部を挿通可能な挿通口２３が開口されている。
【００１９】
ここで、前記支持部材１５は、図３（ａ）に示すように、平板状支持基板部１６の上面に、側壁１７と天壁１８とを備えた左右一対のＬ形枠部２４，２４が対向配置されて、両Ｌ形枠部２４，２４により囲繞された内部領域を保持空隙２２とし、かつ左右の天壁１８，１８間に生じる開口を挿通口２３としたアルミニウムまたはアルミニウム合金等の押出し型材によって構成することが可能であり、このような押出し型材を用いれば、押出し成形によって得られた上記断面形状の型材を所定長さに切断するだけで、支持部材１５を簡単に製作することができる。
【００２０】
また、支持部材１５は、図４に示すように、平板状支持基板部１６及び連結凸部１９が前後方向に長尺に形成されており、上述した固定用ブラケット４に取り付けられる複数のレベル調整杆９，９の下端部を前記連結凸部１９に連結することにより、単一の平板状支持基板部１６で各レベル調整杆９，９の下端部を支持し得るようになっている。
【００２１】
かかる構成にあって、支持部材１５をレベル調整杆９の下端部に装着するには、図３（ｂ）に示すように、連結凸部１９の一端に開口された装入口２１からナット２０を装入して保持空隙２２内で保持させ、この状態で、天壁１８，１８間の挿通口２３から挿通したレベル調整杆９を構成する螺子杆の下端部を前記ナット２０に螺合させる。尚、この手順に代えて、予めレベル調整杆９の下端部にナット２０を螺合しておき、この状態で該ナット２０を装入口２１から装入するようにしてもよい。そして、螺子杆の上方から該螺子杆に螺合した他のナット２５を天壁１８，１８に当接させた状態で緊締すると、上下二個のナット２０，２５により天壁１８，１８が挟持されることによって、支持部材１５がレベル調整杆９の下端部に装着される。この時、保持空隙２２内でナット２０が回転不能に保持されていることにより、他のナット２５の緊締操作に伴って螺子杆が回転することがなく、その緊締操作を容易かつ確実に行うことができる。そして、このように支持部材１５をレベル調整杆９の下端部に装着することにより、図１，図２に示すように、該支持部材１５の平板状支持基板部１６を保護モルタル層１４に面接触させた状態でレベル調整杆９の下端部を支持することができ、従来構成（図８参照）に比してレベル調整杆９の下端と保護モルタル層１４との接触面積が拡大して、排水トラフ１の荷重が分散されることとなり、これによって保護モルタル層１４のひび割れを防止することができる。
【００２２】
そして、上記のように支持部材１５によって支持されたレベル調整杆９の下端部は、図１，図２に示すように、団子状の固練りモルタルｍによって保護モルタル層１４上に固定される。然る後、図１に示すように、保護モルタル層１４上にシンダーコンクリートｓが打設されて施工が完了する。
【００２３】
尚、上記第一実施例では、支持部材１５を構成する平板状支持基板部１６及び連結凸部１９を前後方向に長尺に形成した例を示したが、該支持部材１５は、図５（ａ）に示す変形実施例のように、平板状支持基板部１６を短尺な矩形状に形成して、各レベル調整杆９，９の下端部に夫々単独で装着するようにしてもよい。この場合には、使用材料を節約することが可能となる。
【００２４】
一方、平板状支持基板部１６及び連結凸部１９を前後方向に長尺に形成して、図１に示すように、固定用ブラケット４に取り付けられる複数のレベル調整杆９，９の下端部を前記連結凸部１９に連結することにより、単一の平板状支持基板部１６で各レベル調整杆９，９の下端部を夫々支持させた場合には、上記変形実施例のような短尺な矩形状の平板状支持基板部１６を備えた支持部材１５に比して、保護モルタル層１４に面接触する平板状支持基板部１６の接触面積が拡大し、ひび割れ防止作用をさらに向上させ得るとともに、単一の支持部材１５に各レベル調整杆９，９の下端部が連結されることにより、各レベル調整杆９，９による排水トラフ１の支持強度を向上させることができる。
【００２５】
また、上記第一実施例では、押出し型材を用いることにより、左右の天壁１８，１８間に生じる前後方向に連続する開口を挿通口２３とした例を示したが、これに代えて、図５（ｂ）に示す変形実施例のように、左右側壁１７，１７の上部を繋ぐ単一の天壁１８に円形または長円形の挿通口２３を開口させるようにしてもよい。
【００２６】
さらに、上記第一実施例では、レベル調整杆９が上下方向の雄螺子部１０を備えた螺子杆からなるものについて説明したが、該レベル調整杆９は、図６（ａ）に示す第二実施例のように、上下方向の螺子軸部２６と、その下端に操作頭部２７とを備えたボルトであってもよい。この場合、連結凸部１９内に、ボルトの操作頭部２７を左右側壁１７，１７で回転不能に保持し、かつ該ボルトの操作頭部２７を天壁１８で上方脱出不能に保持する保持空隙２２が形成される一方、天壁１８には前記ボルトの操作頭部２７に連続する螺子軸部２６の下端部を挿通可能な挿通口２３が、図６（ｂ）に示すように、装入口２１と連通させて開口されることとなる。尚、この第二実施例にあっては、図４，図５（ａ）に示す第一実施例及び変形実施例の支持部材１５の構成をそのまま適用することが可能である。
【００２７】
かかる構成にあって、支持部材１５をレベル調整杆９の下端部に装着するには、図６（ａ）に示すように、連結凸部１９の一端に開口された装入口２１からボルトの操作頭部２７を装入するとともに、該装入口２１と連通する天壁１８の挿通口２３に操作頭部２７に連続する螺子軸部２６の下端部を挿通して上方に突出させることによって、ボルトの操作頭部２７を保持空隙２２内で保持させ、この状態で螺子軸部２６の上方から該螺子軸部２６に螺合したナット２５を天壁１８に当接させた状態で緊締すると、該ナット２５とボルトの操作頭部２７とにより天壁１８が挟持されることによって、支持部材１５がボルトからなるレベル調整杆９の下端部に装着される。この時、保持空隙２２内でボルトの操作頭部２７が回転不能に保持されていることにより、ナット２５の緊締操作に伴ってボルトが回転することがなく、その緊締操作を容易かつ確実に行うことができる。そして、このように支持部材１５をレベル調整杆９の下端部に装着することにより、第一実施例と同様に、支持部材１５の平板状支持基板部１６を保護モルタル層１４に面接触させた状態でレベル調整杆９の下端部を支持することができ、従来構成に比してレベル調整杆９の下端と保護モルタル層１４との接触面積が拡大して、排水トラフ１の荷重が分散されることとなり、これによって保護モルタル層１４のひび割れを防止することができる。
【００２８】
尚、上記各実施例では、左右側壁１７，１７と天壁１８とからなる連結凸部１９内に、ナット２０またはボルトの操作頭部２７を保持する保持空隙２２を形成するようにしているが、これに代えて、図７（ａ），（ｂ）に示すように、天壁１８に螺子孔２８を形成し、該螺子孔２８にレベル調整杆９を構成する螺子杆の雄螺子部１０を螺合させることによって、支持部材１５をレベル調整杆９の下端部に装着することも可能である。
【図面の簡単な説明】
【００２９】
【図１】第一実施例にかかる支持部材１５によりレベル調整杆９が支持された排水トラフ１の施工完了状態を示す縦断面図である。
【図２】第一実施例にかかる支持部材１５によりレベル調整杆９が支持された排水トラフ１の側面図である。
【図３】（ａ）は第一実施例にかかる支持部材１５の正面図、（ｂ）はレベル調整杆９の下端部に支持部材１５を装着した状態を示す正面図である。
【図４】同上の支持部材１５の斜視図である。
【図５】支持部材１５の変形実施例を示す斜視図である。
【図６】（ａ）は第二実施例にかかるレベル調整杆９の下端部に支持部材１５を装着した状態を示す正面図、（ｂ）は第二実施例にかかる支持部材１５の斜視図である。
【図７】（ａ）は他の連結手段を備えた支持部材１５の斜視図、（ｂ）は該連結手段を介してレベル調整杆９と連結された状態を示す支持部材１５の断面図である。
【図８】従来構成の施工完了状態を示す縦断面図である。
【図９】従来構成の側面図である。
【符号の説明】
【００３０】
１  排水トラフ
２  排水溝部
３  受縁部
４  固定用ブラケット
９  レベル調整杆
１０  雄螺子部
１５  支持部材（レベル調整杆用支持部材）
１６  平板状支持基板部
１７  側壁
１８  天壁
１９  連結凸部
２０  ナット
２１  装入口
２２  保持空隙
２３  挿通口
２４  Ｌ形枠部
２５  ナット
２６  螺子軸部
２７  操作頭部
【図１】
2007262714.tif 000003
【図２】
2007262714.tif 000004
【図３】
2007262714.tif 000005
【図４】
2007262714.tif 000006
【図５】
2007262714.tif 000007
【図６】
2007262714.tif 000008
【図７】
2007262714.tif 000009
【図８】
2007262714.tif 000010
【図９】
2007262714.tif 000011